(57)【要約】【課題】フレアやゴーストの発生を確実に防止する。【解決手段】デジタルカメラ２は、カメラ本体３、レンズ鏡筒４を備える。カメラ本体３には、アダプターリング２０が着脱自在に取り付けられる。アダプターリング２０は、保持筒２１、マスク２２、コイルバネ２３を備える。マスク２２は、保持筒２１内部に撮影光軸方向に移動自在に保持される。コイルバネ２３は、マスク２２をレンズ鏡筒４の前面に当接する方向に向けて付勢する。アダプターリング２０の前面には、コンバーションレンズ２７が着脱自在に取り付けられる。レンズ鏡筒４が撮影位置まで突出すると、レンズ鏡筒４の第１筒部４ａの前面が、マスク２２の当接部２２ｃに当接する。レンズ鏡筒４を前後方向に移動させた場合にも、コイルバネ２３の付勢により、常に、第１筒部４ａの前面が、マスク２２の当接部２２ｃに当接する。【選択図】図５
2007212971.tif 000002
【特許請求の範囲】
【請求項１】
カメラボディ内部に収納される収納位置とこの収納位置から突出した撮影位置との間で撮影光軸方向に移動自在なレンズ鏡筒が設けられた前記カメラボディの前面に取り付けられる保持筒を備え、
前記保持筒の前面側に光学部材が装着可能なアダプターリングであって、
前記保持筒内部に撮影光軸方向に移動自在に設けられ、前記保持筒内部に入射した光が前記レンズ鏡筒の前面に入射しないように遮光するマスクと、
前記マスクを、前記レンズ鏡筒の前面に当接する方向に向けて付勢する付勢手段と、を備え、
前記レンズ鏡筒が前記撮影位置に位置するときには、前記マスクは、前記付勢手段の付勢により前記レンズ鏡筒の前面に当接していることを特徴とするアダプターリング。
【請求項２】
前記マスクに一体的に設けられ、前記保持筒内部に入射した光が前記付勢手段に入射しないように当該付勢手段を覆うとともに、撮影光軸方向に伸縮自在な蛇腹部材を備え、
前記蛇腹部材は、前記レンズ鏡筒が前記収納位置から前記撮影位置に移動するときに、前記付勢手段の付勢に抗して収縮し、前記レンズ鏡筒が前記撮影位置から前記収納位置に移動するときに、前記付勢手段の付勢により伸長することを特徴とする請求項１記載のアダプターリング。
【請求項３】
前記蛇腹部材に、前記付勢手段を脱落しないように保持する付勢保持部を設け、
前記保持筒に、前記付勢手段を保持した状態の前記蛇腹部材を着脱自在に保持する蛇腹保持部を設けたことを特徴とする請求項２記載のアダプターリング。
【請求項４】
カメラボディ内部に収納される収納位置とこの収納位置から突出した撮影位置との間で撮影光軸方向に移動自在なレンズ鏡筒を有するカメラを水密に収納するとともに、光を通すための透明部が設けられた防水ケースであって、
前記レンズ鏡筒の前面と前記透明部との間に撮影光軸方向に移動自在に設けられ、前記透明部を通った光が前記レンズ鏡筒の前面に入射しないように遮光するマスクと、
前記マスクを、前記レンズ鏡筒の前面に当接する方向に向けて付勢する付勢手段と、を備え、
前記レンズ鏡筒が前記撮影位置に位置するときには、前記マスクは、前記付勢手段の付勢により前記レンズ鏡筒の前面に当接していることを特徴とする防水ケース。
【請求項５】
前記マスクに一体的に設けられ、前記透明部を通った光が前記付勢手段に入射しないように当該付勢手段を覆うとともに、撮影光軸方向に伸縮自在な蛇腹部材を備え、
前記蛇腹部材は、前記レンズ鏡筒が前記収納位置から前記撮影位置に移動するときに、前記付勢手段の付勢に抗して収縮し、前記レンズ鏡筒が前記撮影位置から前記収納位置に移動するときに、前記付勢手段の付勢により伸長することを特徴とする請求項４記載の防水ケース。
【請求項６】
前記蛇腹部材に、前記付勢手段を脱落しないように保持する付勢保持部を設け、
ケース本体に、前記付勢手段を保持した状態の前記蛇腹部材を着脱自在に保持する蛇腹保持部を設けたことを特徴とする請求項５記載の防水ケース。
【発明の詳細な説明】
【技術分野】
【０００１】
本発明は、レンズ鏡筒とコンバーションレンズ等の光学部材との間に設けられるアダプターリング及び、レンズ鏡筒とカメラボディを収納する防水ケースに関し、さらに詳しくは、外部からの光がレンズ鏡筒に反射して光学部材または防水ケースに入射しないように遮光するマスクに関するものである。
【背景技術】
【０００２】
カメラには、撮影レンズを保持するレンズ鏡筒が設けられている。レンズ鏡筒は、カメラボディ内部に収納される収納位置と、この収納位置から突出した撮影位置との間で撮影光軸方向に移動自在に設けられている。撮影レンズに外部からの有害な光が入射すると、フレアやゴーストが発生するため、フレアやゴーストの発生を防止するための技術が提案されている（例えば、特許文献１及び特許文献２参照）。
【０００３】
また、近年では、レンズ鏡筒の前側に取り付けられるコンバーションレンズ等の光学部材が広く一般に普及している。コンバーションレンズをレンズ鏡筒に取り付けて撮影を行うと、外部からの光がレンズ鏡筒の前面やレンズ鏡筒の前面に設けられた化粧板で反射して、この反射光がコンバーションレンズに入射することがあり、コンバーションレンズで反射された反射光が撮影レンズに入射した場合には、フレアやゴーストが発生するという問題あった。近年では、デザイン性の向上のために、レンズ鏡筒の前面及び側面をメッキ加工したり、レンズ鏡筒自体を金属で形成するものが多くなっており、メッキ加工された面や金属で形成された場合の金属面では、光を反射しやすく、特に問題となっていた。そこで、レンズ鏡筒とコンバーションレンズとを接続するアダプターリングを設け、このアダプターリングの内部に、外部からの光がレンズ鏡筒に反射してコンバーションレンズに入射しないように遮光するマスクを配設している。
【特許文献１】特開２００１−２９６４６５号公報
【特許文献２】特開２００２−４０３１０号公報
【発明の開示】
【発明が解決しようとする課題】
【０００４】
しかしながら、上記したマスクは、アダプターリング内部に固定されており、ズーム時にレンズ鏡筒を撮影光軸方向に移動させるカメラでは、レンズ鏡筒の前面とマスクとの間に隙間ができ、マスクによる遮光性能が悪化し、フレアやゴーストが発生するという問題あった。
【０００５】
本発明は、上記課題を解決するためになされたものであり、フレアやゴーストの発生を確実に防止することができるアダプターリング及び防水ケースを提供することを目的とする。
【課題を解決するための手段】
【０００６】
上記課題を解決するために、本発明のアダプターリングは、カメラボディ内部に収納される収納位置とこの収納位置から突出した撮影位置との間で撮影光軸方向に移動自在なレンズ鏡筒が設けられた前記カメラボディの前面に取り付けられる保持筒を備え、前記保持筒の前面側に光学部材が装着可能なアダプターリングであって、前記保持筒内部に撮影光軸方向に移動自在に設けられ、前記保持筒内部に入射した光が前記レンズ鏡筒の前面に入射しないように遮光するマスクと；前記マスクを、前記レンズ鏡筒の前面に当接する方向に向けて付勢する付勢手段と；を備え、前記レンズ鏡筒が前記撮影位置に位置するときには、前記マスクは、前記付勢手段の付勢により前記レンズ鏡筒の前面に当接していることを特徴とする。なお、前記光学部材としては、コンバーションレンズ等が挙げられる。また、前記マスクは、前記レンズ鏡筒に当接するときに当該レンズ鏡筒の表面を傷つけることがない素材から構成することが好ましく、例えば、樹脂系材料等から構成することが好ましい。さらに、前記保持筒は、前記マスクを撮影光軸方向に移動自在に保持するものである。
【０００７】
また、前記マスクに一体的に設けられ、前記保持筒内部に入射した光が前記付勢手段に入射しないように当該付勢手段を覆うとともに、撮影光軸方向に伸縮自在な蛇腹部材を備え、前記蛇腹部材は、前記レンズ鏡筒が前記収納位置から前記撮影位置に移動するときに、前記付勢手段の付勢に抗して収縮し、前記レンズ鏡筒が前記撮影位置から前記収納位置に移動するときに、前記付勢手段の付勢により伸長することが好ましい。なお、前記蛇腹部材を構成する素材としては、ゴム系材料等が挙げられる。
【０００８】
さらに、前記蛇腹部材に、前記付勢手段を脱落しないように保持する付勢保持部を設け、前記保持筒に、前記付勢手段を保持した状態の前記蛇腹部材を着脱自在に保持する蛇腹保持部を設けることが好ましい。
【０００９】
また、本発明の防水ケースは、カメラボディ内部に収納される収納位置とこの収納位置から突出した撮影位置との間で撮影光軸方向に移動自在なレンズ鏡筒を有するカメラを水密に収納するとともに、光を通すための透明部が設けられた防水ケースであって、前記レンズ鏡筒の前面と前記透明部との間に撮影光軸方向に移動自在に設けられ、前記透明部を通った光が前記レンズ鏡筒の前面に入射しないように遮光するマスクと；前記マスクを、前記レンズ鏡筒の前面に当接する方向に向けて付勢する付勢手段と；を備え、前記レンズ鏡筒が前記撮影位置に位置するときには、前記マスクは、前記付勢手段の付勢により前記レンズ鏡筒の前面に当接していることを特徴とする。なお、前記マスクは、前記レンズ鏡筒に当接するときに当該レンズ鏡筒の表面を傷つけることがない素材から構成することが好ましく、例えば、樹脂系材料等から構成することが好ましい。
【００１０】
さらに、前記マスクに一体的に設けられ、前記透明部を通った光が前記付勢手段に入射しないように当該付勢手段を覆うとともに、撮影光軸方向に伸縮自在な蛇腹部材を備え、前記蛇腹部材は、前記レンズ鏡筒が前記収納位置から前記撮影位置に移動するときに、前記付勢手段の付勢に抗して収縮し、前記レンズ鏡筒が前記撮影位置から前記収納位置に移動するときに、前記付勢手段の付勢により伸長することが好ましい。なお、前記蛇腹部材を構成する素材としては、ゴム系材料等が挙げられる。
【００１１】
また、前記蛇腹部材に、前記付勢手段を脱落しないように保持する付勢保持部を設け、ケース本体に、前記付勢手段を保持した状態の前記蛇腹部材を着脱自在に保持する蛇腹保持部を設けることが好ましい。
【発明の効果】
【００１２】
本発明のアダプターリングによれば、カメラボディ内部に収納される収納位置とこの収納位置から突出した撮影位置との間で撮影光軸方向に移動自在なレンズ鏡筒が設けられたカメラボディの前面に取り付けられる保持筒を備え、保持筒の前面側に光学部材が装着可能なアダプターリングであって、保持筒内部に撮影光軸方向に移動自在に設けられ、保持筒内部に入射した光がレンズ鏡筒の前面に入射しないように遮光するマスクと；マスクを、レンズ鏡筒の前面に当接する方向に向けて付勢する付勢手段と；を備え、レンズ鏡筒が撮影位置に位置するときには、マスクは、付勢手段の付勢によりレンズ鏡筒の前面に当接しているから、レンズ鏡筒の前面とマスクとの間に隙間ができ、保持筒内部に入射した光がレンズ鏡筒の前面で反射し、この反射光が光学部材に入射することに起因するフレアやゴーストの発生を確実に防止することができる。特に、レンズ鏡筒にメッキ処理が施されている場合に効果的である。
【００１３】
また、マスクに一体的に設けられ、保持筒内部に入射した光が付勢手段に入射しないように当該付勢手段を覆うとともに、撮影光軸方向に伸縮自在な蛇腹部材を備え、蛇腹部材は、レンズ鏡筒が収納位置から撮影位置に移動するときに、付勢手段の付勢に抗して収縮し、レンズ鏡筒が撮影位置から収納位置に移動するときに、付勢手段の付勢により伸長するから、保持筒内部に入射した光が付勢手段で反射し、この反射光が光学部材に入射することに起因するフレアやゴーストの発生を確実に防止することができる。
【００１４】
さらに、蛇腹部材に、付勢手段を脱落しないように保持する付勢保持部を設け、保持筒に、付勢手段を保持した状態の蛇腹部材を着脱自在に保持する蛇腹保持部を設けたから、蛇腹部材と付勢手段とをユニット化した状態で保持筒に取り付けることができ、蛇腹部材及び付勢手段の取り付けを容易に行うことができる。
【００１５】
また、本発明の防水ケースによれば、カメラボディ内部に収納される収納位置とこの収納位置から突出した撮影位置との間で撮影光軸方向に移動自在なレンズ鏡筒を有するカメラを水密に収納するとともに、光を通すための透明部が設けられた防水ケースであって、レンズ鏡筒の前面と透明部との間に撮影光軸方向に移動自在に設けられ、透明部を通った光がレンズ鏡筒の前面に入射しないように遮光するマスクと；マスクを、レンズ鏡筒の前面に当接する方向に向けて付勢する付勢手段と；を備え、レンズ鏡筒が撮影位置に位置するときには、マスクは、付勢手段の付勢によりレンズ鏡筒の前面に当接しているから、レンズ鏡筒の前面とマスクとの間に隙間ができ、透明部を通った光がレンズ鏡筒の前面で反射し、この反射光が透明部に入射することに起因するフレアやゴーストの発生を確実に防止することができる。特に、レンズ鏡筒にメッキ処理が施されている場合に効果的である。
【００１６】
さらに、マスクに一体的に設けられ、透明部を通った光が付勢手段に入射しないように当該付勢手段を覆うとともに、撮影光軸方向に伸縮自在な蛇腹部材を備え、蛇腹部材は、レンズ鏡筒が収納位置から撮影位置に移動するときに、付勢手段の付勢に抗して収縮し、レンズ鏡筒が撮影位置から収納位置に移動するときに、付勢手段の付勢により伸長するから、透明部を通った光が付勢手段に入射して反射し、この反射光が透明部に入射することに起因するフレアやゴーストの発生を確実に防止することができる。
【００１７】
また、蛇腹部材に、付勢手段を脱落しないように保持する付勢保持部を設け、ケース本体に、付勢手段を保持した状態の蛇腹部材を着脱自在に保持する蛇腹保持部を設けたから、蛇腹部材と付勢手段とをユニット化した状態で防水ケースに取り付けることができ、蛇腹部材及び付勢手段の取り付けを容易に行うことができる。
【発明を実施するための最良の形態】
【００１８】
図１及び図２に示すように、デジタルカメラ２は、カメラ本体（カメラボディ）３と、レンズ鏡筒４と、を備えて構成されている。レンズ鏡筒４は、カメラ本体３内部に収納される収納位置（図２参照）と、この収納位置から突出した撮影位置（図１参照）との間で撮影光軸方向に移動自在に設けられている。詳しくは後述するように、カメラ本体３には、本発明を実施したアダプターリング２０が着脱自在に取り付けられる。
【００１９】
レンズ鏡筒４は、撮影レンズ（図示せず）を保持する第１筒部４ａと、第２筒部４ｂとを備えて構成されている。第１筒部４ａは、第２筒部４ｂよりも小さい径で形成されており、レンズ鏡筒４が収納位置に位置するときには、第１筒部４ａは第２筒部４ｂ内部に収納され、レンズ鏡筒４が撮影位置に位置するときには、第１筒部４ａは第２筒部４ｂの前面側に突出するようにされている。第１筒部４ａ及び第２筒部４ｂの前面及び外周面には、メッキ処理が施されている。
【００２０】
カメラ本体３の前面には、アダプターリング２０を着脱自在に保持するための本体側マウント部５が設けられている。この本体側マウント部５には、取付開口６と、アダプターリング２０を係止するためのバネヨット溝７と、ロックピン８と、が形成されている。バネヨット溝７は、２個形成されている。
【００２１】
本体側マウント部５には、前方向にバネ付勢されたマウント蓋９が設けられており、このマウント蓋９は、アダプターリング２０装着時にリング側マウント部２４に押圧されて後方向に移動する。マウント蓋９は、アダプターリング２０非装着時に、カメラ本体３内部に塵埃が侵入することを防止する役割を果たしている。
【００２２】
マウント蓋９には、レンズ鏡筒４の移動を可能にするための鏡筒用開口９ａが形成されている。鏡筒用開口９ａは、レンズ鏡筒４が収納位置に位置するときには、図示しないシャッタにより遮蔽されている。このシャッタは、レンズ鏡筒４が収納位置と撮影位置との間で移動するときには、鏡筒用開口９ａを露呈する。
【００２３】
カメラ本体３の前面には、ロックピン８と連動するロック解除ボタン１０が設けられている。ロック解除ボタン１０は、アダプターリング２０を取り外す際に操作されるものであり、押圧することでロックピン８を後方向に移動させて、ロックを解除することができる。
【００２４】
カメラ本体３の上面には、撮影時に押圧操作されるレリーズボタン１１が設けられている。レリーズボタン１１は、２段押しの構造とされている。レリーズボタン１１を軽く押圧（半押し）すると、フォーカシングなどの撮影準備動作が行われる。この状態でさらに押圧（全押し）すると、撮影動作が行われる。
【００２５】
図３に示すように、カメラ本体３の後面には、電源のオン／オフを行うための電源ボタン１２、撮影画像や各種設定条件が表示されるＬＣＤ１３、撮影時の撮影画像をズームする拡大ズームボタン１４及び縮小ズームボタン１５が設けられている。また、カメラ本体３の後面には、各ボタン１２，１４，１５の他に、デジタルカメラ２を操作するための各種操作ボタン（例えば、記憶したデータを再生するための再生ボタン等）が設けられている。
【００２６】
電源ボタン１２押圧してデジタルカメラ２の電源をオンすると、レンズ鏡筒４は撮影位置（図１参照）まで突出し、電源ボタン１２を押圧してデジタルカメラ２の電源をオフすると、レンズ鏡筒４は収納位置（図２参照）まで移動する。
【００２７】
デジタルカメラ２の電源をオンした状態（レンズ鏡筒４が撮影位置）で、拡大ズームボタン１４及び縮小ズームボタン１５を押圧操作すると、レンズ鏡筒４が前後方向に移動するようにされており、このレンズ鏡筒４の前後方向への移動により拡大及び縮小が行われるようにされている。
【００２８】
図４及び図５に示すように、カメラ本体３には、アダプターリング２０が着脱自在に取り付けられる。アダプターリング２０は、保持筒２１と、マスク２２と、コイルバネ２３と、を備えて構成されている。保持筒２１の後面には、リング側マウント部２４が設けられている。リング側マウント部２４には、バヨネット爪２５が形成されている。バネヨット爪２５は、アダプターリング２０をカメラ本体３に装着するときに、本体側マウント部５のバヨネット溝７に挿入するものであり、２個形成されている。なお、図４においては、簡略的に、２個のバネヨット爪２５のうち１個のみを図示している。また、図５（Ａ）は、レンズ鏡筒４が収納位置に位置するときの側面断面図であり、図５（Ｂ）は、レンズ鏡筒４が撮影位置に位置するときの側面断面図である。
【００２９】
アダプターリング２０をカメラ本体３に装着する際には、リング側マウント部２４のバヨネット爪２５を、本体側マウント部５のバヨネット溝７に合わせた状態で押し込んでから回転させる。本体側マウント部５のロックピン８が、リング側マウント部２４の図示しないピン孔と係合すると、アダプターリング２０が位置決めされる。
【００３０】
保持筒２１は、マスク２２を撮影光軸方向に移動自在に保持するものであり、筒状の本体部２１ａに、マスク２２の移動を規制する移動規制リブ２１ｂと、コイルバネ２３の受けとなるバネ受けリブ２１ｃと、が形成されている。本体部２１ａの内面のバネ受けリブ２１ｃよりも前側部には、コンバーションレンズ２７のコンバーションギア部２７ａと噛合するための保持ギア部２１ｄが形成されている。
【００３１】
マスク２２は、保持筒２１内部に入射した光がレンズ鏡筒４の前面に入射しないように遮光するものであり、樹脂により構成され、保持筒２１内部に配設されている。マスク２２は、筒状の本体部２２ａに、コイルバネ２３の受けとなるバネ受けリブ２２ｂが形成されている。バネ受けリブ２２ｂは、本体部２２ａの側面の後側（図５における右側）端部にリング状に形成されている。本体部２２ａの前側部（図５における左側部）には、レンズ鏡筒４が撮影位置まで突出したときに第１筒部４ａの前面（図５における左側面）に当接する当接部２２ｃが形成されている。アダプターリング２０内部に入射した光は、マスク２２の当接部２２ｃにより形成される入射開口２２ｄを通って、レンズ鏡筒４内部に入射する。マスク２２は、本体部２２ａの外径が、保持筒２１のバネ受けリブ２１ｃにより形成される開口の外径よりも若干小さい径となるように形成されている。
【００３２】
マスク２２は、本体部２２ａの内径が、レンズ鏡筒４の第１筒部４ａの外径よりも若干大きい径となるように形成されている。これにより、レンズ鏡筒４は、撮影位置まで突出したときに、本体部２２ａ内部に入り込むことができる。
【００３３】
マスク２２は、バネ受けリブ２２ｂの外径が、保持筒２１の内径よりも若干小さい径となるように形成されている。これにより、マスク２２は、保持筒２１内部に、撮影光軸方向に移動自在に保持される。
【００３４】
コイルバネ２３は、マスク２２をレンズ鏡筒４の前面に当接する方向（図５における右方）に向けて付勢するものであり、一端が保持筒２１のバネ受けリブ２１ｃに当接し、他端がマスク２２のバネ受けリブ２２ｂに当接するように、保持筒２１内部に配設されている。これにより、マスク２２は、コイルバネ２３の付勢により、第１筒部４ａの前面に当接する方向（図５における右方）に向けて付勢される。なお、コイルバネ２３により付勢されるマスク２２は、バネ受けリブ２２ｂが移動規制リブ２１ｂに当接することにより、その移動が規制される。なお、マスク２２の移動範囲は、拡大ズームボタン１４及び縮小ズームボタン１５を押圧操作し、レンズ鏡筒４が前後方向（図５における左右方向）に移動したときにも、常に、第１筒部４ａの前面にマスク２２が当接するような移動範囲にされている。
【００３５】
図６及び図７に示すように、アダプターリング２０の前面には、コンバーションレンズ（光学部材）２７が着脱自在に取り付けられる。コンバーションレンズ２７は、公知の部材であり、その詳細説明は簡略化するが、内部に被写体像を拡大または縮小するためのズームレンズ（図示せず）が配設されている。コンバーションレンズ２７の外周面の後側（図７における右側）端部には、保持筒２１の保持ギア部２１ｄと噛合するためのコンバーションギア部２７ａが形成されている。本実施形態では、コンバーションレンズ２７を時計方向に回転させると、保持ギア部２１ｄとコンバーションギア部２７ａとが噛合し、コンバーションレンズ２７を反時計方向に回転させると、保持ギア部２１ｄとコンバーションギア部２７ａとの噛合が解除されるようになっている。
【００３６】
上記のように構成されたデジタルカメラ２の作用について説明する。デジタルカメラ２の電源をオンすると、レンズ鏡筒４は撮影位置（図１参照）まで突出する。レンズ鏡筒４が撮影位置まで突出すると、第１筒部４ａの前面（図７における左側面）が、マスク２２の当接部２２ｃに当接する。コンバーションレンズ２７内に入射した光は、コンバーションレンズ２７内部のズームレンズ、マスク２２の入射開口２２ｄを通って、レンズ鏡筒４内部の撮影レンズに入射する。
【００３７】
撮影者が、拡大ズームボタン１４及び縮小ズームボタン１５を押圧操作すると、レンズ鏡筒４が前後方向（図７における左右方向）に移動する。マスク２２は、コイルバネ２３によりレンズ鏡筒４の前面に当接する方向（図７における右方）に向けて付勢されており、レンズ鏡筒４が前後方向に移動した場合にも、常に、第１筒部４ａの前面（図７における左側面）が、マスク２２の当接部２２ｃに当接した状態となる。
【００３８】
このように、撮影時（デジタルカメラ２の電源がオンで、レンズ鏡筒４が撮影位置）に、拡大ズームボタン１４及び縮小ズームボタン１５を押圧操作して、レンズ鏡筒４を前後方向（図７における左右方向）に移動させた場合にも、コイルバネ２３の付勢により、常に、第１筒部４ａの前面（図７における左側面）が、マスク２２の当接部２２ｃに当接しているから、コンバーションレンズ２７内部のズームレンズ、マスク２２の入射開口２２ｄを通った光が、第１筒部４ａの前面（メッキ処理され、光の反射率が高い）に入射することがない。これにより、第１筒部４ａの前面で反射した反射光が、コンバーションレンズ２７内部のズームレンズに入射することに起因するフレアやゴーストの発生を確実に防止することができる。
【００３９】
なお、上記実施形態では、デジタルカメラ２に本発明のアダプターリング２０を取り付ける例について説明したが、これに限定されることなく、デジタルビデオカメラや銀塩カメラ等に本発明のアダプターリング２０を取り付けるようにしてもよい。
【００４０】
図８に他の実施形態を示す。上記実施形態のものと同様の構成部材には同一の符号を付し、その詳細な説明を簡略化する。この実施形態では、カメラ本体３には、アダプターリング３０が着脱自在に取り付けられる。アダプターリング３０は、保持筒３１と、マスク３２と、コイルバネ３３と、蛇腹部材３４と、を備えて構成されている。保持筒３１の後面には、リング側マウント部２４が設けられている。なお、図８（Ａ）は、レンズ鏡筒４が収納位置に位置するときの側面断面図であり、図８（Ｂ）は、レンズ鏡筒４が撮影位置に位置するときの側面断面図である。
【００４１】
保持筒３１は、筒状の本体部３１ａに、蛇腹部材３４の伸長を規制する伸長規制リブ（蛇腹保持部）３１ｂと、蛇腹部材３４の受けとなる蛇腹受けリブ（蛇腹保持部）３１ｃと、が形成されている。本体部３１ａの内面の蛇腹受けリブ３１ｃよりも前側部には、コンバーションレンズ２７のコンバーションギア部２７ａと噛合するための保持ギア部３１ｄが形成されている。
【００４２】
マスク３２は、保持筒２１内部に入射した光がレンズ鏡筒４の前面に入射しないように遮光するものであり、樹脂により構成され、保持筒３１内部に配設されている。マスク３２は、円盤状に形成され、中心部には光を通すための入射開口３２ａが形成されている。
【００４３】
蛇腹部材３４は、変形可能な素材（例えば、ゴム等）により構成され、蛇腹状の本体部３４ａの前面及び後面それぞれに、コイルバネ３３の受けとなるバネ受けリブ３４ｂが形成されている。２個のバネ受けリブ３４ｂそれぞれには、コイルバネ３３の脱落を防止するためのバネ保持リブ（付勢保持部）３４ｃが形成されている。本体部３４ａの後面（図８における右側面）には、マスク３２が一体的に取り付けられている。コイルバネ３３を、本体部３４ａとバネ保持リブ３４ｃとの間に挿入すると、コイルバネ３３は蛇腹部材３４に保持され、蛇腹部材３４は、コイルバネ３３の付勢により、伸長する方向（図８における左右に広がる方向）に付勢される。本実施形態では、蛇腹部材３４の伸縮により、マスク３２は撮影光軸方向に移動する。
【００４４】
アダプターリング３０を組み立てる場合には、蛇腹部材３４にコイルバネ３３を組み込んだ後、蛇腹部材３４を保持筒３１内部の伸長規制リブ３１ｂと蛇腹受けリブ３１ｃとの間に組み込む。すなわち、蛇腹部材３４とコイルバネ３３とをサブアッセイ部品として取り扱う。蛇腹部材３４を保持筒３１内部に組み込んだ状態では、コイルバネ３３は、蛇腹部材３４により覆われており、保持筒３１内部に入射した光がコイルバネ３３で反射することがない。
【００４５】
蛇腹部材３４を保持筒３１内部に組み込むと、マスク３２は、コイルバネ３３の付勢により、第１筒部４ａの前面に当接する方向（図８における右方）に向けて付勢される。なお、コイルバネ３３により付勢される蛇腹部材３４は、伸長規制リブ３１ｂに当接することにより、その移動が規制される。なお、蛇腹部材３４の移動範囲は、拡大ズームボタン１４及び縮小ズームボタン１５を押圧操作し、レンズ鏡筒４が前後方向（図８における左右方向）に移動したときにも、常に、第１筒部４ａの前面にマスク３２が当接するような移動範囲にされている。これにより、拡大ズームボタン１４及び縮小ズームボタン１５を押圧操作して、レンズ鏡筒４を前後方向（図８における左右方向）に移動させた場合にも、保持筒３１内部に入射した光が、第１筒部４ａの前面に入射することがなく、第１筒部４ａの前面で反射した反射光が、コンバーションレンズ２７内部のズームレンズに入射することに起因するフレアやゴーストの発生を確実に防止することができる。
【００４６】
保持筒３１内部に入射した光は、蛇腹部材３４の内部、マスク３２の入射開口３２ａを通って、レンズ鏡筒４内部に入射する。コイルバネ３３は、蛇腹部材３４により覆われており、保持筒３１内部に入射した光がコイルバネ３３で反射することがない。これにより、コイルバネ３３で反射した反射光が、コンバーションレンズ２７内部のズームレンズに入射することに起因するフレアやゴーストの発生を確実に防止することができる。
【００４７】
図９及び図１０に他の実施形態を示す。図１〜図７に示す実施形態のものと同様の構成部材には同一の符号を付し、その詳細な説明を簡略化する。この実施形態では、デジタルカメラ２は、水中での撮影が可能となるように、防水ケース４０に収納されている。防水ケース４０は、前カバー４１と後カバー４２とからなり、前カバー４１は後カバー４２に開閉自在に取り付けられている。防水ケース４０は、前カバー４１を閉じたときに水密となるようにされている。デジタルカメラ２は、図示しない取付部材により、防水ケース４０内部に取り付けられている。なお、図１０（Ａ）は、レンズ鏡筒４が収納位置に位置するときの側面断面図であり、図１０（Ｂ）は、レンズ鏡筒４が撮影位置に位置するときの側面断面図である。
【００４８】
前カバー４１内部には、マスク４３とコイルバネ４４とが配設されている。前カバー４１の前面部には、撮影位置まで突出したレンズ鏡筒４を覆う鏡筒覆い部４１ａが形成されている。鏡筒覆い部４１ａは、円筒状に形成され、マスク４３の移動を規制する移動規制リブ４１ｂと、コイルバネ４４の受けとなるバネ受け部４１ｃと、が形成されている。鏡筒覆い部４１ａのバネ受け部４１ｃにより形成される開口には、光を透過する透明板（透明部）４５が取り付けられている。
【００４９】
マスク４３は、透明板４５を通って防水ケース４０内部に入射した光が、レンズ鏡筒４の前面に入射しないように遮光するものであり、樹脂により構成され、防水ケース４０内部に、撮影光軸方向に移動自在に配設されている。マスク４３は、筒状の本体部４３ａに、コイルバネ４４の受けとなるバネ受けリブ４３ｂが形成されている。バネ受けリブ４３ｂは、本体部４３ａの側面の後側（図１０における右側）端部にリング状に形成されている。本体部４３ａの前側部（図１０における左側部）には、レンズ鏡筒４が撮影位置まで突出したときに第１筒部４ａの前面（図１０における左側面）に当接する当接部４３ｃが形成されている。透明板４５を通って防水ケース４０内部に入射した光は、マスク４３の当接部４３ｃにより形成される入射開口４３ｄを通って、レンズ鏡筒４内部に入射する。
【００５０】
マスク４３は、本体部４３ａの内径が、レンズ鏡筒４の第１筒部４ａの外径よりも若干大きい径となるように形成されている。これにより、レンズ鏡筒４は、撮影位置まで突出したときに、本体部４３ａ内部に入り込むことができる。
【００５１】
マスク４３は、バネ受けリブ４３ｂの外径が、鏡筒覆い部４１ａの内径よりも若干小さい径となるように形成されている。これにより、マスク４３は、防水ケース４０内部に、撮影光軸方向に移動自在に保持される。
【００５２】
コイルバネ４４は、マスク４３をレンズ鏡筒４の前面に当接する方向（図１０における右方）に向けて付勢するものであり、一端が鏡筒覆い部４１ａのバネ受け部４１ｃに当接し、他端がマスク４３のバネ受けリブ４３ｂに当接するように、防水ケース４０内部に配設されている。これにより、マスク４３は、コイルバネ４４の付勢により、第１筒部４ａの前面に当接する方向（図１０における右方）に向けて付勢される。なお、コイルバネ４４により付勢されるマスク４３は、バネ受けリブ４３ｂが移動規制リブ４１ｂに当接することにより、その移動が規制される。また、マスク４３の移動範囲は、拡大ズームボタン１４及び縮小ズームボタン１５を押圧操作し、レンズ鏡筒４が前後方向（図１０における左右方向）に移動したときにも、常に、第１筒部４ａの前面にマスク４３が当接するような移動範囲にされている。
【００５３】
透明板４５を通って防水ケース４０内部に入射した光は、マスク４３の当接部４３ｃにより形成される入射開口４３ｄを通って、レンズ鏡筒４内部に入射する。マスク４３は、コイルバネ４４の付勢により、第１筒部４ａの前面に当接する方向（図１０における右方）に向けて付勢されており、撮影時（デジタルカメラ２の電源がオンで、レンズ鏡筒４が撮影位置）に、拡大ズームボタン１４及び縮小ズームボタン１５を押圧操作して、レンズ鏡筒４を前後方向（図７における左右方向）に移動させた場合にも、常に、第１筒部４ａの前面（図１０における左側面）が、マスク４３の当接部４３ｃに当接しているから、透明板４５を通って防水ケース４０内部に入射した光が、第１筒部４ａの前面（メッキ処理され、光の反射率が高い）に入射することがない。これにより、第１筒部４ａの前面で反射した反射光が、透明板４５に入射することに起因するフレアやゴーストの発生を確実に防止することができる。
【００５４】
図１１に他の実施形態を示す。図１〜図７に示す実施形態のものと同様の構成部材には同一の符号を付し、その詳細な説明を簡略化する。この実施形態では、デジタルカメラ２は、水中での撮影が可能となるように、防水ケース５０に収納されている。防水ケース５０は、前カバー５１と後カバー５２とからなり、前カバー５１は後カバー５２に開閉自在に取り付けられている。防水ケース５０は、前カバー５１を閉じたときに水密となるようにされている。デジタルカメラ２は、図示しない取付部材により、防水ケース５０内部に取り付けられている。なお、図１１（Ａ）は、レンズ鏡筒４が収納位置に位置するときの側面断面図であり、図１１（Ｂ）は、レンズ鏡筒４が撮影位置に位置するときの側面断面図である。
【００５５】
防水ケース５０内部には、マスク５３と、コイルバネ５４と、蛇腹部材５５と、が配設されている。前カバー５１の前面部には、撮影位置まで突出したレンズ鏡筒４を覆う鏡筒覆い部５１ａが形成されている。鏡筒覆い部５１ａは、円筒状に形成され、蛇腹部材５５の伸長を規制する伸長規制リブ（蛇腹保持部）５１ｂと、蛇腹部材５５の受けとなる蛇腹受けリブ（蛇腹保持部）５１ｃと、が形成されている。鏡筒覆い部５１ａの蛇腹受けリブ５１ｃにより形成される開口には、光を透過する透明板（透明部）５６が取り付けられている。
【００５６】
マスク５３は、透明板５６を通って防水ケース５０内部に入射した光が、レンズ鏡筒４の前面に入射しないように遮光するものであり、樹脂により構成され、鏡筒覆い部５１ａ内部に配設されている。マスク５３は、円盤状に形成され、中心部には光を通すための入射開口５３ａが形成されている。
【００５７】
蛇腹部材５５は、変形可能な素材（例えば、ゴム等）により構成され、蛇腹状の本体部５５ａの前面及び後面それぞれに、コイルバネ５４の受けとなるバネ受けリブ５５ｂが形成されている。２個のバネ受けリブ５５ｂそれぞれには、コイルバネ５４の脱落を防止するためのバネ保持リブ（付勢保持部）５５ｃが形成されている。本体部５５ａの後面（図１１における右側面）には、マスク５３が一体的に取り付けられている。コイルバネ５４を、本体部５５ａとバネ保持リブ５５ｃとの間に挿入すると、コイルバネ５４は蛇腹部材５５に保持され、蛇腹部材５５は、コイルバネ５４の付勢により、伸長する方向（図１１における左右に広がる方向）に付勢される。本実施形態では、蛇腹部材５５の伸縮により、マスク５３は撮影光軸方向に移動する。
【００５８】
蛇腹部材５５及びコイルバネ５４を防水ケース５０内部に組み付ける場合には、蛇腹部材５５にコイルバネ５４を組み込んだ後、蛇腹部材５５を鏡筒覆い部５１ａの伸長規制リブ５１ｂと蛇腹受けリブ５１ｃとの間に組み込む。すなわち、蛇腹部材５５とコイルバネ５４とをサブアッセイ部品として取り扱う。蛇腹部材５５を防水ケース５０内部に組み込んだ状態では、コイルバネ５４は、蛇腹部材５５により覆われており、透明板５６を通って防水ケース５０内部に入射した光がコイルバネ５４で反射することがない。
【００５９】
蛇腹部材５５を防水ケース５０内部に組み込むと、マスク５３は、コイルバネ５４の付勢により、第１筒部４ａの前面に当接する方向（図１１における右方）に向けて付勢される。なお、コイルバネ５４により付勢される蛇腹部材５５は、伸長規制リブ５１ｂに当接することにより、その移動が規制される。なお、蛇腹部材５５の移動範囲は、拡大ズームボタン１４及び縮小ズームボタン１５を押圧操作し、レンズ鏡筒４が前後方向（図１１における左右方向）に移動したときにも、常に、第１筒部４ａの前面にマスク５３が当接するような移動範囲にされている。これにより、拡大ズームボタン１４及び縮小ズームボタン１５を押圧操作して、レンズ鏡筒４を前後方向（図１１における左右方向）に移動させた場合にも、防水ケース５０内部に入射した光が、第１筒部４ａの前面に入射することがなく、第１筒部４ａの前面で反射した反射光が、透明板５６に入射することに起因するフレアやゴーストの発生を確実に防止することができる。
【００６０】
透明板５６を通って防水ケース５０内部に入射した光は、蛇腹部材５５の内部、マスク５３の入射開口５３ａを通って、レンズ鏡筒４内部に入射する。コイルバネ５４は、蛇腹部材５５により覆われており、防水ケース５０内部に入射した光がコイルバネ５４に入射することがない。これにより、コイルバネ５４で反射した反射光が、透明板５６に入射することに起因するフレアやゴーストの発生を確実に防止することができる。
【図面の簡単な説明】
【００６１】
【図１】レンズ鏡筒が撮影位置に位置するときのデジタルカメラを示す前面斜視図である。
【図２】レンズ鏡筒が収納位置に位置するときのデジタルカメラを示す前面斜視図である。
【図３】デジタルカメラを示す後面斜視図である。
【図４】デジタルカメラとアダプターリングとを示す斜視図である。
【図５】デジタルカメラとアダプターリングとを示す側面断面図である。
【図６】デジタルカメラとアダプターリングとコンバーションレンズとを示す斜視図である。
【図７】デジタルカメラとアダプターリングとコンバーションレンズとを示す側面断面図である。
【図８】アダプターリング内部に蛇腹部材を配設した実施形態のデジタルカメラとアダプターリングとを示す側面断面図である。
【図９】デジタルカメラを防水ケース内部に取り付けた実施形態の防水ケースを示す前面斜視図である。
【図１０】図９に示す実施形態のデジタルカメラと防水ケースとマスクとコイルバネとを示す側面断面図である。
【図１１】デジタルカメラを防水ケース内部に取り付け、防水ケース内部に蛇腹部材を配設した実施形態のデジタルカメラと防水ケースとマスクとコイルバネと蛇腹部材とを示す側面断面図である。
【符号の説明】
【００６２】
２  デジタルカメラ
３  カメラ本体（カメラボディ）
４  レンズ鏡筒
２０、３０  アダプターリング
２１  保持筒
２２、３２、４３、５３  マスク
２３、３３、４４、５４  コイルバネ（付勢手段）
２７  コンバーションレンズ（光学部材）
３１ｂ、５１ｂ  伸長規制リブ（蛇腹保持部）
３１ｃ、５１ｃ  蛇腹受けリブ（蛇腹保持部）
３４、５５  蛇腹部材
３４ｃ、５５ｃ  バネ保持リブ（付勢保持部）
４０、５０  防水ケース
４５、５６  透明板（透明部）
【図１】
2007212971.tif 000003
【図２】
2007212971.tif 000004
【図３】
2007212971.tif 000005
【図４】
2007212971.tif 000006
【図５】
2007212971.tif 000007
【図６】
2007212971.tif 000008
【図７】
2007212971.tif 000009
【図８】
2007212971.tif 000010
【図９】
2007212971.tif 000011
【図１０】
2007212971.tif 000012
【図１１】
2007212971.tif 000013